(57)【要約】【課題】衛生面が向上した食器具容器を提供する。【解決手段】食器具容器１００は、土台１０と、棒状の食器具を収容し、食器具を取り出すための第１の開口部２２を有する収容部２０と、土台１０に設けられた収容部２０に収容された食器具８０を支持するための支持部４０とを含む。収容部２０には、食器具８０が支持部４０に移動するように案内部２４が設けられている。収容部２０に収容されている食器具８０が案内部２４により案内されて、支持部４０の支持面４２ａ，４２ｂに載り得る第１の状態とした後に、支持部４０が収容部２０に入り込み、支持面４２ａ，４２ｂと食器具９０とが接触する接触箇所Ｐ１が収容部２０の底面より第１の開口部２６の側にある状態にすることで、食器具８０の一端が収容部２０の第１の開口部２６の側に離れて位置するようにされている。【選択図】図１０
2011147619.tif 000002
【特許請求の範囲】
【請求項１】
土台と、
棒状の食器具を収容し、食器具を取り出すための第１の開口部を有する収容部と、
前記土台に設けられた収容部に収容された食器具を支持するための支持部とを含み、
前記収容部には、前記収容部に収容された食器具が前記支持部に移動するように案内部が設けられ、
前記支持部は、前記収容部内に挿入可能であり、
前記支持部が前記収容部内に挿入されたときに、前記案内部は前記支持部と隣り合うように設けられ、
前記収容部は、前記土台に対して、第１の状態と第２の状態との間を相対的に移動可能に設けられ、
前記第１の状態は、前記収容部に収容されている食器具が前記収容部の案内部により案内されて、前記支持部の支持面に接触し得る状態であり、
前記第２の状態は、前記支持部が前記収容部に入り込み、前記支持部の前記支持面と前記食器具とが接触する接触箇所が前記収容部の底面より前記第１の開口部の側にある状態であり、
前記食器具が前記支持部で受けられている場合において、前記収容部を前記第２の状態にすると当該支持部に受けられている前記食器具の少なくとも一端が前記収容部の底面より前記第１の開口部の側に離れて位置する食器具容器。
【請求項２】
請求項１において、
貫通穴が設けられた蓋体が設けられ、
前記第１の開口部は、前記貫通穴により構成されている食器具容器。
【請求項３】
請求項１または２において、
前記収容部の底において、前記収容部を前記第１の開口部側に付勢するための弾性部材が設けられ、前記収容部の初期状態が第１の状態とされている食器具容器。
【請求項４】
請求項１〜３のいずれかにおいて、
前記収容部は、前記土台に対して回動可能に設けられている食器具容器。
【請求項５】
請求項４において、
前記土台に回転軸が設けられ、
前記回転軸に前記収容部が取り付けられ、
前記収容部を前記土台に対して回動させた際に前記回転軸を回転させて発電させる発電装置が設けられている食器具容器。
【請求項６】
請求項１〜５のいずれかにおいて、
前記支持部は、食器具を支持する２つの支持面を有する食器具容器。
【請求項７】
請求項６において、
前記２つの支持面の間に、当該２つの支持面に支持される２つの箸を分離するための分離部を有する食器具容器。
【請求項８】
請求項７において、
前記分離部は、前記土台から離れるにしたがって、外方に向かう形状を有する食器具容器。
【請求項９】
請求項６〜８のいずれかにおいて、
前記収容部において、一方の支持面に載る食器具を収容する第１の収容ブロックと、他方の支持面に載る食器具を収容する第２の収容ブロックとを含み、前記第１の収容ブロックと前記第２の収容ブロックとの間に仕切りプレートが設けられている食器具容器。
【請求項１０】
請求項１〜９のいずれかにおいて、
前記収容部には、前記食器具を殺菌するための殺菌装置が設けられている食器具容器。
【請求項１１】
請求項１〜１０のいずれかにおいて、
前記支持部が前記収容部の長さ方向に移動可能に設けられている食器具容器。
【請求項１２】
請求項１〜１１のいずれかにおいて、
前記収容部において、前記食器具の残量を検知する検知部が設けられている食器具容器。
【発明の詳細な説明】
【技術分野】
【０００１】
本発明は、食器具を収容するための食器具容器に関する。
【背景技術】
【０００２】
飲食店などでは、一般的に、箸などの食器具は小物入れに収められている（特許文献１参照）。飲食のサービスを受ける者は、その小物入れから食器具を取り出す。
【先行技術文献】
【特許文献】
【０００３】
【特許文献１】特開２００２−６５４３７号公報
【発明の概要】
【発明が解決しようとする課題】
【０００４】
しかし、食器具を取り出そうとする際に、取り出そうする食器具以外の食器具を触ってしまうことが多々ある。特に飲食店では不特定多数の者が食器具に触れてしまう場合が多く、衛生面の観点からすると、そのような接触は好ましいことではない。
【０００５】
本発明の目的は、衛生面が向上した食器具容器を提供することにある。
【課題を解決するための手段】
【０００６】
本発明の食器具容器は、
土台と、
棒状の食器具を収容し、食器具を取り出すための第１の開口部を有する収容部と、
前記土台に設けられた収容部に収容された食器具を支持するための支持部とを含み、
前記収容部には、前記収容部に収容された食器具が前記支持部に移動するように案内部が設けられ、
前記支持部は、前記収容部内に挿入可能であり、
前記支持部が前記収容部内に挿入されたときに、前記案内部は前記支持部と隣り合うように設けられ、
前記収容部は、前記土台に対して、第１の状態と第２の状態との間を相対的に移動可能に設けられ、
前記第１の状態は、前記収容部に収容されている食器具が前記収容部の案内部により案内されて、前記支持部の支持面に接触し得る状態であり、
前記第２の状態は、前記支持部が前記収容部に入り込み、前記支持部の前記支持面と前記食器具とが接触する接触箇所が前記収容部の底面より前記第１の開口部の側にある状態であり、
前記食器具が前記支持部で受けられている場合において、前記収容部を前記第２の状態にすると当該支持部に受けられている前記食器具の少なくとも一端が前記収容部の底面より前記第１の開口部の側に離れて位置するものである。
【０００７】
本発明によれば、前記収容部に収容されている食器具が収容部の案内部により案内されて、支持部の支持面に載り得る第１の状態とした後に、支持部が収容部に入り込み、支持部の支持面と食器具とが接触する接触箇所が収容部の底面より第１の開口部の側にある状態にすることで、食器具の一端が収容部の第１の開口部の側に離れて位置するようにされている。すなわち、本発明によれば、手で触ることなく、収容部に収容された食器具の中から一部を遊離させることができる。したがって、収容部に収容された他の食器具に触れることなく、使用する分だけ食器具を取り出すことができ、衛生面の向上を図ることができる。
【０００８】
また、収容部の内面に触れずに食器具を取り出すことができるため、この点からも衛生面の向上を図ることができる。
【０００９】
本発明においては、貫通穴が設けられた蓋体が設けられ、前記第１の開口部は、前記貫通穴により構成されていることができる。
【００１０】
本発明によれば、蓋体が設けられているため、ほこりなどが収容部の内部に入りにくく衛生面の向上を図ることができる。また、蓋体に第１の開口部が設けられているため、第１の開口部のところから、蓋体を設けても、食器具を取り出す容易さを損なわずにすむ。
【００１１】
本発明においては、前記収容部の底において、前記収容部を前記第１の開口部側に付勢するための弾性部材が設けられ、前記収容部の初期状態が第１の状態とされていることができる。本発明によれば、第１の状態に移動させることがないため、操作性の向上を図ることができる。
【００１２】
本発明においては、前記収容部は、前記土台に対して回動可能に設けられていることができる。本発明によれば、垂直方向に収容部を移動させるよりも回動させて移動させることで、操作性の向上を図ることができる。
【００１３】
本発明において、前記土台に回転軸が設けられ、前記回転軸に前記収容部が取り付けられ、前記収容部を前記土台に対して回動させた際に前記回転軸を回転させて発電させる発電装置が設けられていることができる。本発明によれば、電子機械器具が取り付けられている場合において、手動で発電させた電気で駆動できるため、省エネルギーであると共に、食器具容器の置き場所の自由度を確保することができる。
【００１４】
本発明において、前記支持部は、食器具を支持する２つの支持面を有することができる。本発明によれば、箸を収容する容器として特に好適である。
【００１５】
本発明によれば、前記２つの支持面の間に、当該２つの支持面に支持される２つの箸を分離するための分離部を有することができる。本発明によれば、分離部があるため、３つ以上の食器具が支持部に載るのを抑えることができる。
【００１６】
本発明においては、前記分離部は、前記土台から離れるにしたがって、外方に向かう形状を有することができる。本発明によれば、支持部に載った食器具の上に他の食器具が載ったとしても、分離部が外方に向かう形状であるため、その他の食器具が外方へ向かい易くなり、２重に食器具が載るのを防ぐことができる。
【００１７】
本発明においては、前記収容部において、一方の支持面に載る食器具を収容する第１の収容ブロックと、他方の支持面に載る食器具を収容する第２の収容ブロックとを含み、前記第１の収容ブロックと前記第２の収容ブロックとの間に仕切りプレートが設けられていることができる。本発明によれば、一方の支持面には第１の収容ブロックに収容された食器具を案内でき、他方の支持面には第２の収容ブロックに収容された食器具を案内することができ、食器具の支持部への円滑な移動を確保することができる。
【００１８】
本発明においては、前記収容部には、前記食器具を殺菌するための殺菌装置が設けられていることができる。本発明によれば、食器具を殺菌することができるため、衛生面の向上をより図ることができる。
【００１９】
本発明によれば、前記支持部が前記収容部の長さ方向に移動可能に設けられていることができる。本発明によれば、第２の状態における食器具の傾斜度合いを調整することができる。
【００２０】
本発明においては、前記収容部において、前記食器具の残量を検知する検知部が設けられていることができる。本発明によれば、収容部の内部を確認せずして、食器具の補充の判断を容易に行うことができる。
【図面の簡単な説明】
【００２１】
【図１】食器具容器の外観を模式的に示す図である。
【図２】食器具容器を模式的に示す図である。
【図３】食器具容器の収容部の内部を模式的に示す図である。
【図４】食器具容器の動作を模式的に示す図である。
【図５】食器具容器の平面を模式的に示す図である。
【図６】食器具容器の検知部の構成を模式的に示す平面図である。
【図７】食器具容器の殺菌装置の構成を模式的に示す図である。
【図８】食器具容器の支持部の構成を模式的に示す図である。
【図９】指示部の断面を模式的に示す図である。
【図１０】食器具容器の動作原理を説明するための図である。
【発明を実施するための形態】
【００２２】
以下、本発明の好適な実施の形態について図面を参照しながら説明する。
【００２３】
食器具容器として、箸入れ容器を例にとり実施の形態を説明する。
【００２４】
１．食器具容器の構成
食器具容器１００は、土台１０と、食器具８０を収容する収容部２０と、食器具８０を支持する支持部４０とを含む。
【００２５】
土台１０には、収容部２０に収容された食器具８０を受けるための支持部４０が設けられている。
【００２６】
収容部２０は、棒状の食器具８０を収容するためのものである。収容部２０には蓋体２２が設けられ、食器具８０を取り出すための第１の開口部２６を有する。収容部２０は、土台１０に対して相対的に移動可能なように設けられている。具体的には、収容部２０は、土台１０に対して支点１２を軸として、回動可能に設けられることができる。
【００２７】
また、収容部２０には、食器具８０を取り出すための第１の開口部２６が設けられている。収容部２０には蓋体２２を設けることができる。収容部２０に蓋体２２を設けた場合には、図１〜図３に示すように、支持部４０に対応する蓋体２２の位置（支持部４０の上の位置）に貫通穴を設け、第１の開口部２６を構成することができる。
【００２８】
収容部２０には、図４に示すように、支持部４０を収容部２０内に挿入できるように第２の開口部２８が設けられている。
【００２９】
収容部２０は、図５に示すように、第２の開口部２８側に食器具８０を案内する案内部２４が設けられている。具体的には、案内部２４は、支持部４０と隣り合うように、具体的には両側に設けられている。この案内部２４は、収容部２０の側面から第２の開口部２８に向かうにしたがって、下に傾斜する傾斜面により構成することができる。
【００３０】
収容部２０は、土台１０に対して回動するが、次に説明する第１の状態から第２の状態までの間を回動することができる。第１の状態は、収容部２０の案内部２４により案内されて、収容部２０に収容されている食器具８０が支持部４０の支持面４２ａ，４２ｂの上に載り得る状態にある位置をいう。具体的には、第１の状態は、支持部４０の支持面４２ａ，４２ｂと食器具８０とが接触し得る位置、すなわち、その支持面４２ａ，４２ｂが収容部２０の第２の開口部２８の付近にあるような位置をいう。第２の状態は、支持部４０が収容部２０内に入り込み、支持部４０の支持面４２ａ，４２ｂと食器具８０とが接触する接触箇所Ｐ１（図４参照）が収容部２０の底面より第１の開口部２６の側にある状態、具体的にはその接触箇所Ｐ１が第１の開口部２６の付近となるような状態である。
【００３１】
第１の状態にて食器具８０が支持部４０で受けられている場合において、収容部２０を第２の状態にすると、図４に示すように、支持部４０に受けられている食器具８０の一端が収容部２０の底面に対して第１の開口部２６の側に離れて位置することとなる。すなわち、食器具８０が傾斜して、食器具８０の一端が第１の開口部２６から突出させることができ、食器具８０を容易に取り出すことができる。
【００３２】
収容部２０において、図４に示すように、土台１０から離れる方向に弾性部材５０により付勢することができる。具体的には、収容部２０の裏底において、収容部２０を第１の開口部２６側に付勢するための弾性部材５０が設けられ、収容部２０の初期状態を第１の状態とすることができる。弾性部材５０としては、たとえば、ばねにより構成することができる。この場合、収容部２０は、ストッパーにより所定の位置で係止させることができる。
【００３３】
収容部２０において、図５に示すように、支持部４０の一方の支持面４２ａに載る食器具８０を収容する第１の収容ブロック３２ａと、他方の支持面４２ｂに載る食器具８０を収容する第２の収容ブロック３２ｂとを設け、第１の収容ブロック３２ａと第２の収容ブロック３２ｂとの間に仕切りプレート３４を設けることができる。
【００３４】
また、収容部２０において、図６に示すように、食器具８０の残量を検知する検知部３０を設けることができる。食器具８０の残量を検知するセンサーがあることで、食器具を補充すべきかどうかの判断が容易となる。検知部３０は、赤外線センサーなどの光センサーを用いることができる。検知部３０により食器具８０の残量が少ないと検知された場合には、ブザーなどの報知手段（図示せず）により報知してもよい。
【００３５】
収容部２０には、図７に示すように、食器具８０を殺菌するための殺菌装置６０を設けることができる。殺菌装置６０は、たとえば、紫外線殺菌を利用した殺菌装置などの公知のものを適用することができる。殺菌装置６０を設けることで、食器具容器１００に収容された食器具８０を殺菌することができ、より衛生面の向上を図ることができる。
【００３６】
図８に示すように、支持部４０が収容部２０の長さ方向に移動可能に設けることができる。これにより、支持部４０に支持された食器具８０の傾斜度合い（図４を参照のほど）を変えることができる。支持部４０は、食器具８０の重心よりも食器具８０を持つ側（図８においては箸の太い側）に設けることができる。
【００３７】
収容部２０を回動させる際に加えられる力を利用して発電できる発電装置（図示せず）を設けることができる。具体的には、収容部２０に回転軸（図示せず）が設けられ、収容部２０を土台１０に対して回動させた際に回転軸を回転させて発電させる発電装置が設けられることができる。発電装置には、たとえば、自転車等のローラ発電機やハブ発電機の原理を利用する発電装置を適用することができる。発電装置で発電させた電気をバッテリーなどに充電してもよい。また、発電装置で発電された電気を利用して、殺菌装置などを駆動してもよい。
【００３８】
支持部４０の支持面４２ａ，４２ｂの断面形状は、食器具８０を受け易いように、たとえば、凹んだ形状（たとえばＶ字状、Ｕ字状）とすることができる。支持部４０は、食器具８０を支持する１つまたは複数の支持面（たとえば２つの支持面）を有することができる。２つの支持面を有することで食器具を２つ支持させることができ、箸を収容する食器具容器として特に好適である。２つの支持面４２ａ，４２ｂの間に、２つの箸を分離するための分離部４４を設けることができる。分離部４４は、土台１０から離れるにしたがって、外方に向かう形状を有するようにすることができる。分離部４４をこのように外方に向かう形状とすることで、一つの支持面に複数の食器具８０が重ならないようにすることができる。すなわち、図９に示すように、食器具８０が支持面４２ａに置かれている場合に、支持部４０の端がその食器具８０の重心線Ｌ１より外側となるように、支持面４２ａを構成することができる。これにより、食器具８０が支持面４２ａから落ちるのを防ぐことができる。また、支持部４０の端同士の間隔Ｗ１は、食器具８０が落ちない程度に可能な限り短くすることで、短くした分だけ、２つの食器具８０を同時に取り出すことが容易となる。
【００３９】
２．食器具容器の動作
図１０を参照しながら食器具容器１００の動作を説明する。まず、収容部２０を第１の状態にするために、収容部２０を回動させ持ち上げる。第１の状態に移行することで、食器具８０が重力により収容部２０の案内部２４を転がりにより食器具８０が支持部４０の支持面４２ａ，４２ｂに移動する。次に、収容部２０を第２の状態へと土台１０に対して動かすことで、支持部４０に受けられた食器具８０のみが収容部２０の底面側に落ちることなく、残ることとなる。この際に、分離部４４が土台１０から離れるにしたがって外方に向かう構成とすることで、支持部４０に受けられた食器具８０の中心線よりその上に載せられた食器具８０の中心線が外側に位置することとなり、その上に乗せられた食器具８０が収容部２０の底部側に落ちることとなる。これにより一つの支持面に二重に食器具８０が載るのを防ぐことができる。
【００４０】
収容部２０が第２の状態に達すると、支持部４０に残った食器具８０の一端は、第１の開口部２６から外方に突出し、食器具８０を使用する者は、他の食器具８０に触れたり、収容部２０の内面に触れることなく、食器具８０を取り出すことができる。
【００４１】
なお、収容部２０の底部に弾性部材５０が設けられている場合には、初期状態が第１の状態にあるため、第２の状態に収容部２０を土台１０に対して押し下げるのみで、支持部４０に受けられた食器具８０を取り出すことができる。
【００４２】
３．食器具容器の作用効果
従来、食器具を取り出す際に、他の食器具に触れながら自ら使用する食器具を取り出していた。しかし、本実施の形態に係る食器具容器１００によれば、収容部を動かすのみで、自ら使用する食器具８０を収容部２０に入っている食器具から分離させることができ、他の食器具８０に触れることなく食器具８０を取り出すことができる。このため、衛生面の向上を図ることができる。
【００４３】
また、食器具を取り出す際に、収容部２０の内面にも触れることがないため、この点からも衛生面の向上を図ることができる。
【００４４】
４．食器具の例
食器具８０の例としては、箸以外にも棒状体の食器具であれば広く適用することができ、たとえば、爪楊枝にも適用することができる。
【００４５】
本実施の形態は、本発明の範囲内において種々の変形が可能である。
【００４６】
上記の実施の形態では、収容部２０に蓋体２２を設けていたが、蓋体２０を設けずに開放されていてもよい。
【産業上の利用可能性】
【００４７】
本発明は、食器具容器を製造する産業において利用可能である。
【符号の説明】
【００４８】
１０  土台
１２  支点
２０  収容部
２２  蓋体
２４  案内部
２６  第１の開口部
２８  第２の開口部
３０  検知部
３２ａ  第１の収容ブロック
３２ｂ  第２の収容ブロック
３４  仕切りプレート
４０  支持部
４０ａ  支持部の端
４２ａ  第１の支持面
４２ｂ  第２の支持面
４４  分離部
５０  弾性部材
６０  殺菌装置
６２  電池
８０  食器具
１００  食器具容器
【図１】
2011147619.tif 000003
【図２】
2011147619.tif 000004
【図３】
2011147619.tif 000005
【図４】
2011147619.tif 000006
【図５】
2011147619.tif 000007
【図６】
2011147619.tif 000008
【図７】
2011147619.tif 000009
【図８】
2011147619.tif 000010
【図９】
2011147619.tif 000011
【図１０】
2011147619.tif 000012